(57)【要約】【課題】  組合容器にて発泡入浴剤を形成し得るようにすると共に、組合容器に対する貫通孔の穿設に工夫を凝らし、そのまま浴湯に投入し得る容器入り浴剤を提供することにある。【解決手段】  合成樹脂製の組合容器（３）と、該組合容器の収容室（３０）に収まる発泡入浴剤（２）から成り、組合容器は第一容器体（４）と第二容器体（５）から構成され、両容器体の少なくとも一方に貫通孔（６）を備え、第一容器体開口部（４ａ）と第二容器体開口部（５ａ）を向かい合わせにし、その開口側端部に設けた結合手段（７）にて一体化し、一体化により発泡入浴剤を収容室に納めるものであり、発泡入浴剤を収容した組合容器をそのまま浴槽内の浴湯（Ｗ）に投入することで、貫通孔より収容室に浴湯が浸入し、その浴湯によって発泡入浴剤が反応し、溶解しながら気体（Ｇ）を発生し、気体が貫通孔より浴槽内の浴湯に噴出して気泡（Ｋ）となることを特徴とする。【選択図】        図１
2019122444.tif 000002
【特許請求の範囲】
【請求項１】
少なくとも合成樹脂製の組合容器（３）と、該組合容器（３）の収容室（３０）に収まる発泡性固形入浴剤（２）から成り、
組合容器（３）は、第一容器体（４）と第二容器体（５）とから成り、第一・第二容器体（４，５）の少なくとも一方に貫通孔（６）を備え、
第一容器体（４）の開口部（４ａ）と第二容器体（５）の開口部（５ａ）を向かい合わせにし、その開口側端部に設けた結合手段（７）にて一体化し、一体化により発泡性固形入浴剤（２）の収容室（３０）を形成するものであり、
発泡性固形入浴剤（２）を収容した組合容器（３）をそのまま浴槽内の浴湯（Ｗ）に投入することで、貫通孔（６）より収容室（３０）に浴湯（Ｗ）が浸入し、浸入した浴湯（Ｗ）によって発泡性固形入浴剤（２）が反応し、溶解しながら気体（Ｇ）を発生し、
その気体（Ｇ）が貫通孔（６）より浴槽内の浴湯（Ｗ）に噴出して気泡（Ｋ）を生じるか、収容室（３０）内の浴湯（Ｗ）に噴出して気泡（Ｋ）となり、該気泡（Ｋ）が貫通孔（６）より浴槽内の浴湯（Ｗ）に噴出し得るようにしたことを特徴とする容器入り浴剤。
【請求項２】
第一容器体（４）と第二容器体（５）は、個々に形成した個別体か、屈曲自在なヒンジ（１３）を介して一体成形した連結体の何れかであることを特徴とする請求項１に記載の容器入り浴剤。
【請求項３】
貫通孔（６）は、浴湯（Ｗ）の浸入が可能で、且つ発泡性固形入浴剤（２）から発生した気体（Ｇ）及び気体（Ｇ）にて生じた気泡（Ｋ）の噴出が可能な大きさ（Ｈ）に開口し、
且つ、発泡性固形入浴剤（２）の溶解時間（Ｔ１）と気体（Ｇ）及び気泡（Ｋ）の発生時間（Ｔ２）が５〜２０分になるように複数穿設していることを特徴とする請求項１または２に記載の容器入り浴剤。
【請求項４】
発泡性固形入浴剤（２）は、第一容器体（４）と第二容器体（５）を成形型とし、その第一・第二容器体（４，５）に発泡性浴用粉体（２０）を各々入れ、該発泡性浴用粉体（２０）を型崩れしない程度まで押し固めた後、
第一・第二容器体（４，５）の開口側を向かい合わせにし、押し固めた発泡性浴用粉体（２０）を対面せしめ、
向かい合わせにした第一・第二容器体（４，５）を接近方向に押圧することで一体の組合容器（３）が構成されると共に、同時に形成される収容室（３０）内で押圧固化されて収まっていることを特徴とする請求項１，２または３に記載の容器入り浴剤。
【請求項５】
発泡性固形入浴剤（２）は、別途成形金型（Ｄ）の雌金型（Ｄ２）に発泡性固形入浴剤（２）に応じたキャビティ（ｄ２）を設け、該キャビティ（ｄ２）に発泡性浴用粉体（２０）を入れ、これを雄金型（Ｄ１）にて押圧固化した後、成形金型（Ｄ）を型開きして取出し、
その略下半分を第一容器体（４）と第二容器体（５）の何れか一方に入れ、上半分を露出せしめ、その露出する上半分に第一・第二容器体（４，５）の他方を被せ、
第一・第二容器体（４，５）を接近方向に押圧し、両容器体（４，５）を一体の組合容器（３）に構成することで、その収容室（３０）内に納められていることを特徴とする請求項１，２または３に記載の容器入り浴剤。
【請求項６】
第一容器体（４）と第二容器体（５）に入れた発泡性浴用粉体（２０）に対する押圧力（ｐ１）と、発泡性浴用粉体（２０）を入れた第一・第二容器体（４，５）を一体化するための押圧力（ｐ２）、及び別途成形金型（Ｄ）による発泡性浴用粉体（２０）の押圧力（Ｐ）は、１〜２０Ｋｇであることを特徴とする請求項４または５に記載の容器入り浴剤。
【請求項７】
組合容器（３）は、発泡性固形入浴剤（２）を封入したまま浴湯（Ｗ）に投入し得る耐久力と耐熱性を備え、
且つ組合容器（３）を構成する第一容器体（４）と第二容器体（５）の少なくとも一方が透明又は半透明であることを特徴とする請求項１〜６いずれか１に記載の容器入り浴剤。
【請求項８】
組合容器（３）を外側から防水性の包装材（１０）で密封しているとことを特徴とする請求項１〜７いずれか１に記載の容器入り浴剤。
【発明の詳細な説明】
【技術分野】
【０００１】
本発明は、発泡性固形入浴剤（浴用剤とも称される。）を入れた貫通孔穿設容器をそのまま浴湯に投入して用いる容器入り浴剤に関する。
【背景技術】
【０００２】
広く一般に使用されている入浴剤は、硫酸ナトリウム、塩化ナトリウム、硼酸、炭酸アルカリ塩等の無機塩類混合物を主成分とし、これに油分、香料、着色料等の補助成分を配合したものであり、血行促進と新陳代射を活発にして、冷え症、疲労回復等に効果を与えるものとして普及している。
その他の入浴剤として、浴場中で炭酸ガスを発生する浴用成分をプレス機械で加圧し、固化した発泡性固形入浴剤（以下、発泡入浴剤とする。）が知られている。この発泡入浴剤は、水分（浴場）と反応して炭酸ガスを発生するため、水分と反応しないよう厳重に包装されている。
包装状態にある発泡入浴剤を用いて入浴する場合、先ず包装を開放し、或いは包装材を取り除き、発泡入浴剤を取出して浴湯内に投入すると、浴湯と反応して炭酸ガスを発生し、その炭酸ガスによって気泡を生じると共に、浴用成分を浴湯中に溶け込ませ、浴用成分と炭酸ガスによって生じた気泡にて皮膚表面を摩擦したり新陳代謝を増進させるものである。
【０００３】
発泡入浴剤は、前記の如く浴場と反応して炭酸ガスを発生し、その炭酸ガスによって気泡を生じるため、その現象を利用した玩具、例えば子供達が入浴時に楽しめる玩具や遊具或いは浮具等が、特許文献１〜特許文献８の如く多数発明又は考案されている。
この種の玩具（以下、遊具や浮具等を含むものとする。）の多くは、発泡入浴剤を入れる収容室に浴湯に連通する通水口を備え、使用時に、先ず玩具の収容室に発泡入浴剤を入れ、次いで発泡入浴剤を入れた玩具を浴湯に浮かべるものであり、浴湯に浮かべることにより通水口から収容室に浴湯が浸入し、その浴湯が収容室の発泡入浴剤と反応して炭酸ガスを発生し、該炭酸ガスによって生じた気泡が通水口より浴湯に向けて噴出し、その反動で進むものである。
即ち、発泡入浴剤を入れた玩具を浴湯に浮かべた時、玩具の通水口より収容室に浴湯が浸入し、浸入した浴湯によって収容室に入れてあった発泡入浴剤が反応し、溶解しながら炭酸ガスを発生し、炭酸ガスにて気泡が生じ、気泡が勢いよく通水口より浴湯に噴出し、その反動で玩具を推進していた。
【先行技術文献】
【特許文献】
【０００４】
【特許文献１】特開平１１−２０７０４５号公報
【特許文献２】特開平２００３−１０３０６４号公報
【特許文献３】特許登録第４０２４７８３号公報
【特許文献４】特許登録第４４７０７５２号公報
【特許文献５】実用新案登録第２５３７３０３号公報
【特許文献６】実用新案公開昭６４−４３９９２号公報
【特許文献７】実用新案登録第２５３７３０３号公報
【特許文献８】実用新案登録第２５６４３７４号公報
【発明の概要】
【発明が解決しようとする課題】
【０００５】
従来発泡入浴剤の内、２００〜６００Ｋｇで加圧した発泡入浴剤は、溶解時間が２分程度と短いが、更に高圧の２０〜３０トンで加圧した硬化発泡入浴剤は、簡単に崩れず、しかも溶解時間が３分程度まで延長するに至っている。しかし、発泡入浴剤を高圧にて加工するには、高価な高圧力機や大型プレス機械等を必要とする問題点があった。
特に、発泡入浴剤を浴湯に投入してから２〜３分で完全に溶解が終了するので、気泡による入浴効果が限られる問題点があった。
また、発泡入浴剤を用いる従来玩具にあっては、玩具本体と発泡入浴剤を異なる店で購入しなければならない面倒があるし、発泡入浴剤は多くの企業にて個々に生産されているため、大きさと硬さが不揃いである問題点もあった。
そのため、玩具本体の収容室と通水口は、大き目の発泡入浴剤に合わせて形成する必要があるため、収容室内に浸入した浴湯は、一瞬にして浴湯の水位まで達し、収容室に入れておいた発泡入浴剤と反応する結果、発泡入浴剤を単独で浴湯に投入した場合と同様に、短時間（２〜３分）で完全に融解する問題点があった。
【０００６】
更に、玩具の収容室に発泡入浴剤を入れる場合、多くは、玩具を二分割し、収容室に発泡入浴剤を入れた後、分割した玩具を組立てなければならない面倒があった。即ち、玩具の収容室に入れる発泡入浴剤は、玩具を浴湯に浮かべて遊ぶ毎に溶解して消滅するため、新たな発泡入浴剤を補充しなければならない面倒があるし、繰り返して何度も楽しむため、玩具本体が破損する問題点もあった。
そこでこの発明は、従来技術の有するこのような問題点に鑑みてなされたものであり、その目的とするところは、組合容器を構成する容器体を発泡入浴剤の成形型とし、発泡入浴剤を納めた組合容器をそのまま浴湯に投入し得るようにせしめ、且つ貫通孔の穿設に工夫を凝らし、従来発泡入浴剤より発泡時間が数倍に達する容器入り浴剤を提供することにある。
【課題を解決するための手段】
【０００７】
上記目的を達成するために、本発明の容器入り浴剤（以下、本浴剤とする。）は、請求項１として、少なくとも合成樹脂製の組合容器と、該組合容器の収容室に収まる発泡入浴剤から成り、組合容器は、第一容器体と第二容器体とから成り、第一・第二容器体の少なくとも一方に貫通孔を備え、第一容器体の開口部と第二容器体の開口部を向かい合わせにし、その開口側端部に設けた結合手段にて一体化し、一体化により発泡入浴剤の収容室を形成するものであり、発泡入浴剤を収容した組合容器をそのまま浴槽内の浴湯に投入することで、貫通孔より収容室に浴湯が浸入し、浸入した浴湯によって発泡入浴剤が反応し、溶解しながら気体を発生し、その気体が貫通孔より浴槽内の浴湯に噴出して気泡を生じるか、収容室内の浴湯に噴出して気泡となり、該気泡が貫通孔より浴槽内の浴湯に噴出し得るようにしたことを特徴とする。
請求項２は、請求項１に記載の本浴剤において、第一容器体と第二容器体は、個々に形成した個別体か、屈曲自在なヒンジを介して一体成形した連結体の何れかであることを特徴とする。
【０００８】
ここで組合容器とは、合成樹脂製の第一容器体と第二容器体から構成され、内部に発泡入浴剤の収容室を備えるもので、その全体形状として、例えば俵状、繭状、楕円状、球状、タマゴ状、円盤状、円板状、円柱状、三角おにぎり状等、１０Ｋｇ程度の押圧力に堪え得るものを言い、収容室とは、発泡入浴剤を納める空間で、発泡入浴剤と相似形を成すことが望ましい。
ここで第一容器体と第二容器体とは、両容器体の一方の天地を反転し、第一容器体の開口部と第二容器体の開口部を向かい合わせにし、相互に係止したり嵌合し得るように、少なくとも両開口部を同じ大きさで同じ形状にするものをで、且つ浴湯内に投入しても損傷したり溶けることがない耐久性と耐熱性を有することを言う。
透明又は半透明とは、無色透明に限定されず、収容室に収まる発泡入浴剤が見える程度の半透明、或いは有色透明なものも含まれる。
ここでヒンジとは、第一容器体と第二容器体を繋ぐ薄肉片で、第一・第二容器体を左右に並列する状態から、両容器体の一方の天地を反転し、第一容器体開口部と第二容器体開口部を向かい合わせにし、相互に係止するまで屈曲自在となるものを言う。
ここで浴湯とは、主に一般家庭やホテルの浴槽に入れるお湯で、３８℃から４２℃前後のお湯を言い、気体とは、発泡入浴剤と浴湯が反応して発生する二酸化炭素（炭酸ガス）や酸素ガスを言い、気泡とは、発泡入浴剤と浴湯の反応にて生じた気体によって生じる泡を言う。
【０００９】
請求項３は、請求項１または２に記載の本浴剤において、貫通孔は、浴湯の浸入が可能で、且つ発泡入浴剤から発生した気体及び気体にて生じた気泡の噴出が可能な大きさに開口し、且つ、発泡入浴剤の溶解時間と気体及び気泡の発生時間が５〜２０分になるように複数穿設していることを特徴とする。
請求項４は、請求項１，２，３に記載の本浴剤において、発泡入浴剤は、第一容器体と第二容器体を成形型とし、その第一・第二容器体に発泡性浴用粉体を各々入れ、該発泡性浴用粉体を型崩れしない程度まで押し固めた後、第一・第二容器体の開口側を向かい合わせにし、押し固めた発泡性浴用粉体を対面せしめ、向かい合わせにした第一・第二容器体を接近方向に押圧することで一体の組合容器が構成されると共に、同時に形成される収容室内で押圧固化されて収まっていることを特徴とする。
請求項５は、請求項１，２，３に記載の本浴剤において、発泡入浴剤は、別途成形金型の雌金型に発泡入浴剤に応じたキャビティを設け、該キャビティに発泡性浴用粉体を入れ、これを雄金型にて押圧固化した後、成形金型を型開きして取出し、その略下半分を第一容器体と第二容器体の何れか一方に入れ、上半分を露出し、その露出する上半分に第一・第二容器体の他方を被せ、第一・第二容器体を接近方向に押圧し、両容器体を一体の組合容器に構成することで、その収容室内に納められていることを特徴とする。
【００１０】
ここで貫通孔とは、発泡入浴剤を納めた組合容器をそのまま浴湯内に投入した時、収容室への浴湯の浸入と、浴湯によって発泡入浴剤が反応して生じた気体、又はその気体により生じた気泡を噴出する口を言い、その大きさを１平方ｍｍ〜１０平方ｍｍに形成し、且つ発泡入浴剤の溶解時間と気体の発生時間、及び気泡の発生時間が５〜２０分になるように穿設するものを言う。
尚、貫通孔の大きさと穿設数の関係は、貫通孔の大きさを大きくする程、貫通孔の穿設数を少なくし、反対に、貫通孔の大きさを小さくする程、貫通孔の穿設数を多くすることが望ましい。
ここで発泡性浴用粉体とは、浴用成分と補助成分とから成るものを言い、発泡入浴剤とは、前記発泡性浴用粉体を押圧固化したものであり、組合容器の収容室に収められ、組合容器と共に浴湯内に投入された時、浴湯と反応して溶解し始め、浴用成分と補助成分の芳香成分等を溶出すると共に、気体（炭酸ガスや酸素等）を発生するものを言う。
ここで別途成形金型とは、雄金型とキャビティを備えた雌金型から構成するものを言い、キャビティは発泡入浴剤の形状に合わせて形成されている。
【００１１】
請求項６は、請求項４，５に記載の本浴剤において、第一容器体と第二容器体に入れた発泡性浴用粉体に対する押圧力と、発泡性浴用粉体を入れた第一・第二容器体を一体化するための押圧力、及び別途成形金型による発泡性浴用粉体の押圧力は、１〜２０Ｋｇであることを特徴とする。
請求項７は、請求項１〜６いずれか１に記載の本浴剤において、組合容器は、発泡入浴剤を封入したまま浴湯に投入し得る耐久力と耐熱性を備え、且つ組合容器を構成する第一容器体と第二容器体の少なくとも一方が透明又は半透明であることを特徴とする。
請求項８は、請求項１〜７いずれか１に記載の本浴剤において、組合容器を外側から防水性の包装材で密封しているとことを特徴とする。
【００１２】
ここで接合手段とは、第一容器体と第二容器体の開口側端部に備えられ、第一・第二容器体の開口側を向かい合わせにして接近方向に押圧した際、弾力を利用して相互に係止したり嵌合し得る構造を言い、例えば楔タイプ、係止タイプ、蟻嵌合タイプが望ましい。
ここで押圧力とは、第一容器体と第二容器体に入れた発泡性浴用粉体を型崩れしない程度に押し固める圧力と、発泡性浴用粉体を入れた第一容器体と第二容器体を向かい合わせにして一体化する際の圧力、及び別途成形金型による発泡性浴用粉体の圧力を言い、僅か１〜２０Ｋｇであるから、人手によって押圧することも可能であるが、簡単な押圧機、打錠器、プレス機械等で加工することも可能である。
ここで型崩れしない程度とは、発泡性浴用粉体を押圧して発泡入浴剤に固化した際、簡単に型崩れしない状態を言う。
ここで包装材とは、発泡入浴剤を納めた組合容器を、使用するまで外側から気密に覆い包んでいるもので、少なくとも防水性を備えたシュリンクや真空パック、或いはラミネート製袋を言う。
【発明の効果】
【００１３】
本発明による容器入り浴剤は上記のとおりであるから、次に記載する効果を奏する。
請求項１の容器入り浴剤（以下、本浴剤とする。）は、組合容器の収容室に発泡入浴剤を納めたまま浴湯に投入するものであるから、その取扱が極めて簡便容易である。しかも、浴湯に投入することにより、浴湯が組合容器の貫通孔から収容室に浸入して発泡入浴剤に触れ、発泡入浴剤と反応して炭酸ガス等の気体を生じ、該気体により気泡が発生するため、従来の発泡入浴剤と同等の浴湯効果が期待できる。
即ち、組合容器に収容した発泡入浴剤は、完全に溶解して消滅するまで気体を発生し続け、その気体により多量の気泡を発生し、浴湯内に拡散するので、血液の循環を活発にしたり疲労回復を増進させ、或いは湯ざめを防ぐことができるばかりか、リラックス感や爽快感を高めることもできる。
また、本浴剤は、組合容器の貫通孔より浴湯に向けて気体又は気泡を噴出するので、気体又は気泡の噴出方向と反対側に推進又は回転し、その動きを見て、子供等が楽しむこともできる。
【００１４】
請求項２の本浴剤は、請求項１の特徴に加えて、第一容器体と第二容器体を個別に形成する組合容器にあっては、第一・第二容器体の少なくとも一方の形状を簡単に変更し得るし、第ヒンジを介して繋がっている一容器体と第二容器体の連結体にあっては、組合容器を一度に形成し得るので、生産コストが軽減し得る。
請求項３の本浴剤は、請求項１，２に記載の特徴に加えて、貫通孔の開口を大きくするほど浴湯の流入が増え、その浴湯と発泡入浴剤の接触が増大するため、発泡入浴剤の溶解は早まるが、本浴剤の組合容器に穿設する貫通孔の大きさは従来より極めて小さい１〜１０平方ｍｍに限定し、しかも貫通孔の穿設数も限定したことにより、発泡入浴剤の溶解時間と気体及び気泡の発生時間を従来より数倍長く（５〜４０分）することができる。その結果、発泡入浴剤の溶解により発生した気体、その気体により発生した気泡による入浴効果が著しく向上する。
【００１５】
請求項４の本浴剤は、請求項１，２，３に記載の特徴に加えて、第一容器体と第二容器体を成形型として発泡入浴剤を形成し得るため、その分、製造工程を簡略化し得ると共に、安価に提供し得る。即ち、第一容器体と第二容器体に発泡性浴用粉体を直接入れ、これを型崩れしない程度に各々に押し固め、その第一・第二容器体を向かい合わせにして押圧するだけで、第一・第二容器体を接合手段にて一体化し、組合容器を構成すると同時に、該組合容器の収容室内で押し固め状態にあった発泡性浴用粉体を発泡入浴剤に固化し得る。
請求項５の本浴剤は、請求項１，２，３に記載の特徴に加えて、発泡入浴剤を別途成形金型の雄金型と雌金型を用いて形成するため、発泡入浴剤の大きさや形状を任意に形成し得るばかりか、硬さも任意に調整し得る。即ち、発泡入浴剤を浴湯に投入して融解するまで型崩れしにくく製造し得るばかりか、美観的に或いは造形的な形状に形成し得るし、量産化にも適する。
【００１６】
請求項６の本浴剤は、請求項４，５に記載の特徴に加えて、第一容器体と第二容器体に入れた発泡性浴用粉体を型崩れしない程度に押し固める押圧力と、発泡性浴用粉体を入れた第一容器体と第二容器体を向かい合わせにして一体化する際の押圧力は、僅か１〜２０Ｋｇであるから、人手によって押圧することも可能であるし、簡単な押圧機でも加工し得る。その結果、発泡入浴剤を収容した本浴剤を安価に提供し得る。
また、別途成形金型による発泡性浴用粉体の押圧力も、僅か１〜２０Ｋｇであるから、発泡入浴剤の成形に高価な高圧力機械が不要で、安価な低圧力機械で形成し得る。
請求項７の本浴剤は、請求項１〜６のいずれか１に記載の特徴に加えて、組合容器が耐久力と耐熱性を備えているので、移動・保管中に損傷することもないし、浴湯内に投入しても溶けたり損傷することもない。
また、組合容器を構成する第一容器体と第二容器体の少なくとも一方が透明又は半透明、或いは有色透明であるから、組合容器内の発泡入浴剤を外部から視覚し得る。即ち、発泡入浴剤の溶解から気体と気泡の発生状まで視覚し得るので、子供達が興味を抱き、楽しい雰囲気も提供する。
請求項８の本浴剤は、請求項１〜７のいずれか１に記載の特徴に加えて、本浴剤を浴湯内に投入するまで包装材で密封状態にしておけるので、組合容器内に収容されている発泡入浴剤が水分（空気中の水分）と触れても反応することがない。即ち、水分と反応しやすい発泡入浴剤を安定した状態（化学反応をしない状態）で維持・保管することが出来る。
【図面の簡単な説明】
【００１７】
【図１】本発明による容器入り浴剤（以下、本浴剤とする。）の第一実施形態を示す一部切欠正面図である。
【図２】包装状態にある本浴剤の正面図である。
【図３】組合容器の概略構造を示す端面図である。
【図４】発泡入浴剤の成分例を示すブロック線図である。
【図５】接合手段の構造例を示すもので、（イ）は銛状タイプを、（ロ）は係止タイプを、（ハ）は蟻嵌合タイプを示す。
【図６】第一実施形態における発泡入浴剤の製造工程で、（イ）は初期工程を、（ロ）は後期工程を示す断面図である。
【図７】第一実施形態における発泡入浴剤の類例製造工程で、（イ）は初期工程を、（ロ）は後期工程を示す断面図である。
【図８】本浴剤の使用時における発泡入浴剤の溶解例を示す断面図である。
【図９】第二実施形態における組合容器の概略構造を示す一部切欠正面図である。
【図１０】第三実施形態における発泡入浴剤の製造工程（イ）（ロ）（ハ）と、発泡入浴剤の封入例を示す断面図（ニ）である。
【図１１】第四実施形態における他方容器体（肉厚相違）の一部切欠正面図である。
【図１２】第四実施形態における他方容器体（突起付加）の一部切欠正面図である。
【図１３】第四実施形態における他方容器体の一部切欠正面図である。
【発明を実施するための形態】
【００１８】
本発明による容器入り浴剤の第一実施形態を図１と図２に基づき説明すれば、容器入り浴剤１（以下、本浴剤１とする。）は、発泡入浴剤２と、該入浴剤２が収まる被球形の組合容器３と、該組合容器３を外側から覆い包む包装材１０とから構成され、使用時に包装材１０を取除き、組合容器３を密封状態から開放し、発泡入浴剤２を封入した組合容器３をそのまま浴湯Ｗに投入するものである。
第一実施形態の組合容器３は、図３の如く個々に形成する合成樹脂製の第一容器体４と第二容器体５とから成り、第一容器体４は開口部４ａと胴部４ｂと底部４ｃを順に備え、第二容器体５も第一容器体４と同様に、開口部５ａと胴部５ｂと底部５ｃを順に備え、少なくとも第一・第二容器体４，５の開口部４ａ，５ａが同じ大きさで同じ形状を成していて、第一容器体４の胴部４ｂと第二容器体５の胴部５ｂは、必ずしも一致している必要はなく、相違していても良い。
また、第一・第二容器体４，５は、その少なくとも一方に貫通孔６を備え、且つ両容器体４，５の開口側に、開口部４ａ，５ａを向かい合わせにし、接近方向に押圧した際、弾力を利用して相互に係止したり嵌合し得る結合手段７を備え、結合手段７により一体化して組合容器３を構成すると共に、発泡入浴剤２が収まる収容室３０を形成する。
【００１９】
第一実施形態の発泡入浴剤２は、発泡性浴用粉体２０を少なくとも型崩れしない程度に押圧力Ｐで押し固めたものである。
発泡性浴用粉体２０は図４の如く、浴用成分２１と補助成分２２から成り、浴用成分２１には従来と同様に炭酸塩類や有機酸類を用い、補助成分２２にも従来と同様の着色剤や香料、或いは保湿剤、酵素類、生薬類、その他成分等から選ばれる１種又は２種以上を用いる。
包装材１０は、少なくとも水分の通過を遮断する気密性と防水性を有し、且つ柔軟性と耐熱性を備え、更に組合容器３を外側から覆い包んで密封しても内部が見えて、且つ安価な例えばシュリンクや真空パック、或いはラミネート製袋を用いることが望ましい。
【００２０】
組合容器３に穿設する貫通孔６は、浴湯Ｗに投入された状態で、浴湯Ｗの浸入が可能で、且つ発泡入浴剤２から発生した気体Ｇ及び気体Ｇにて生じた気泡Ｋの噴出が可能な大きさＨで開口すると共に、発泡入浴剤２の溶解時間Ｔ１と、気体Ｇ及び気泡Ｋの発生時間Ｔ２が５〜２０分に達するように複数穿設されている。
貫通孔６の大きさＨとして、例えば１平方ｍｍ〜１０平方ｍｍが望ましい。
即ち、発泡入浴剤２の溶解開始から終了までの溶解時間Ｔ１と、気体Ｇ及び気泡Ｋの発生開始から終了までの発生時間Ｔ２が５〜４０分になるように複数穿設されている。
一般に、溶け始めより溶け終わる頃により多く発泡した。その理由として、発泡入浴剤２の体積は溶解するに従って縮小し、発泡入浴剤２の縮小に従って収容室３０の空間が広くなり、収容室３０の空間が広くなるに従って浴湯Ｗの浸入が容易となり、その浴湯Ｗと発泡入浴剤２の接触面積が増大するためと思われる。
【００２１】
第一容器体４と第二容器体５の結合手段７として、例えば銛状タイプ７１と係止タイプ７２と蟻嵌合タイプ７３の何れかを用いるが、何れのタイプも第一容器体４の開口側に第一接合部８を、第二容器体５の開口側に第二接合部９を設け、弾力を利用して係合又は嵌合するものである。
即ち、銛状タイプ７１にあっては図５（イ）の如く、図面上、第一容器体開口部４ａの外側に第一接合部８を垂下し、該第一接合部８に下向きに先細と成る内向楔部８１を備える一方、第二容器体開口部５ａに第一接合部８の内側に相対する第二接合部９を突出し、該第二接合部９に上向きに先細と成り前記内向楔部８１と係合する外向楔部９１を備えている。
係止タイプ７２にあっては図５（ロ）の如く、図面上、第一容器体開口部４ａの外側に第一接合部８を垂下し、該第一接合部８の内側に内向凹部８２を備える一方、第二容器体開口部５ａに第一接合部８の内側に相対する第二接合部９を突出し、該第二接合部９の外側に前記内向凹部８２と係合する外向凸部９２を備えている。
蟻嵌合タイプ７３にあっては図５（ハ）の如く、第一容器体４の開口側に設ける第一接合部８として、図面上、第一容器体開口部４ａの先端面より内部に向けて食い込むアリ溝８３を備え、第二容器体５の開口側に設ける第二接合部９として、第二容器体開口部５ａの先端面に前記アリ溝８３に嵌合するバチ状部９３を突出している。
【００２２】
第一実施形態における本浴剤１の製造手順を説明すると、
第一工程：組合容器３を構成する第一容器体４と第二容器体５の分離状態において、図６（イ）の如く第一容器体４の開口部４ａと、第二容器体５の開口部５ａを上向きに配置し、両容器体４，５に発泡性浴用粉体２０を盛り上がるように各々入れる。
第二工程：第一容器体４と第二容器体５に入れた発泡性浴用粉体２０の各々を簡単に型崩れしない程度の押圧力ｐ１、例え人手や押圧機等で１〜２０Ｋｇで押し固める。
第三工程：第一・第二容器体４，５の何れか一方の上下を図６（ロ）の如く反転し、第一・第二容器体４，５の開口部４ａ，５ａを向かい合わせにし、且つ押し固めた発泡性浴用粉体２０同士を対面せしめ、
第四工程：第一容器体４と第二容器体５を接近方向に押圧し、
第五工程：第一容器体４に設けた第一接合部８と、第二容器体５に設けた第二接合部９が係止又は嵌合するまで押圧力ｐ２で押圧することで、組合容器３と収容室３０が形成され、同時に発泡性浴用粉体２０が押圧加工されて発泡入浴剤２となり、収容室３０内に収まる。
第六工程：発泡入浴剤２を収容している組合容器３の全体を外側から包装材１０にて覆い包み、通水不能に密封する。
尚、発泡性浴用粉体２０は、第一容器体４と第二容器体５に分けて入られるものの、同一成分であるため、第四工程と第五工程で容易に一体化する。
また、発泡入浴剤２は、第一容器体４と第二容器体５を成形型とし、その成形型に発泡性浴用粉体２０を入れて押圧固化したものであるから、成形直後からしばらくの間、収容室３０との間に隙間は無いが、時間の経過に伴い僅かに収縮するので、隙間が生じる。
【００２３】
第一実施形態における本浴剤１の使用例を説明すると、先ず包装材１０を取除き、発泡入浴剤２を収容している組合容器３を図８の如くそのまま浴湯Ｗに投入すれば、組合容器３の貫通孔６から収容室３０内に浴湯Ｗが浸入し、浸入した浴湯Ｗと収容室３０内にある発泡入浴剤２とが反応し、気体Ｇを発生しながら溶け始める。
発泡入浴剤２から発生した気体Ｇは、貫通孔６より浴湯Ｗ内に噴出して気泡Ｋを生じるか、収容室３０内の浴湯Ｗに作用して気泡Ｋとなり、その気泡Ｋが貫通孔６より浴湯Ｗ内に噴出し、浴湯Ｗ内に分散する。
即ち、本浴剤１は、使用時にそのまま浴湯Ｗ内に投入する点と、発泡入浴剤２の溶解開始から完了までの溶解時間Ｔ１、気体Ｇ及び気泡Ｋの発生開始から完了までの発生時間Ｔ２が、従来発泡剤の１．５倍〜７倍の５〜２０分である点に大きな特徴を有する。
【００２４】
本浴剤１の第二実施形態を、第一実施形態と相違する点について説明すると、第二実施形態の組合容器３は図９の如く、第一容器体４の開口部４ａと第二容器体５の開口部５ａを上向きにし、両容器体４，５の上端部を屈折自在なヒンジ１３で繋ぐものであり、ヒンジ１３を介して第一容器体４と第二容器体５とが連続し、一体を成すものである。
この組合容器３を構成する第一容器体４と第二容器体５にあっては、両容器体４，５の開口部４ａ，５ａを同じ大きさで且つ同じ形状に形成し、結合手段７として第二容器体開口部５ａに第一接合部８を、第一容器体開口部４ａに第二接合部９を備える。
具体的には、第一接合部８として、第二容器体開口部５ａに係止タイプ７２の外側突部８２を備え、第二接合部９として、第一容器体開口部４ａに外側突部８２と対面する内側突部９２を備え、
且つヒンジ１３の連続部と反対側の外側突部８２に銛状タイプ７１の外向楔部９１を、内側突部９２に外向楔部９１と係合する内向楔部８１備える。
第二実施形態の組合容器３に収まる発泡入浴剤２は、ヒンジ１３で繋がる第一容器体４と第二容器体５の開口部４ａ，５ａを上向きにし、両容器体４，５に発泡性浴用粉体２０を各々入れ、これを型崩れしない程度の押圧力ｐ１で押し固めた後、ヒンジ１３を中心にして第二容器体５を第一容器体４に向けて約１８０度回転するか、或いは第一容器体４を第二容器体５に向けて約１８０度回転し、発泡性浴用粉体２０同士を対面した後、両容器体４，５を接近方向に押圧し、結合手段７にて一体化するまで押圧力ｐ２で押圧することで、組合容器３が構成されると共に、組合容器３内に収容室３０が形成され、該収容室３０内に収まる。
【００２５】
本浴剤１の第三実施形態を、第一・第二実施形態と相違する点について説明すると、第三実施形態の発泡入浴剤２は、図１０の如く別途成形金型Ｄを用いて形成した後、組合容器３の収容室３０内に納めたものである。
第三実施形態における本浴剤１の製造手順を説明すると、
第一工程：成形金型Ｄを構成する雌金型Ｄ２に、発泡入浴剤２に応じたキャビティｄ２を設け、該キュビティｄ２に図１０（イ）の如く発泡性浴用粉体２０を入れ、その雌金型Ｄ２に向けて雄金型Ｄ１を下降し、図１０（ロ）の如く発泡性浴用粉体２０を押圧力Ｐで加圧して発泡入浴剤２を形成する。
第二工程：成形金型Ｄを構成する雄金型Ｄ１と雌金型Ｄ２を図１０（ハ）の如く型開きし、キュビティｄ２内より発泡入浴剤２を取出す。
第三工程：組合容器３を構成する第一容器体４と第二容器体５の分離状態において、第一・第二容器体４，５の一方に図１０（ニ）の如く発泡入浴剤２の下半分を挿入し、上半分を露出せしめ、
第四工程：露出する発泡入浴剤２の上半分に、第一・第二容器体４，５の他方を被せ、
第五工程：第一容器体４と第二容器体５を接近方向に押圧し、第一・第二容器体４，５に設けた結合手段７を係止するか嵌合せしめることで、組合容器３が構成されると同時に収容室３０が形成され、その収容室３０内に発泡入浴剤２を納め得る。
第六工程：発泡入浴剤２を収容している組合容器３の全体を外側から包装材１０にて覆い包み、通水不能に密封する。
成形金型Ｄで形成する発泡入浴剤２は、組合容器３の収容室３０と相似形を成し、収容室３０に納めた状態で８０％以上を占め、輸送中にガタつかないようにしておくことが望ましい。
【００２６】
本浴剤１の第四実施形態を、第一〜第三実施形態と相違する点について説明すると、第四実施形態の本浴剤１は、組合容器３を構成する第一容器体４と第二容器体５の何れかを一方容器体１４とし、該一方容器体１４より僅かに重い方を他方容器体１５とし、該他方容器体１５に貫通孔６を穿設するもので、本浴剤１を浴湯Ｗ内に投入した時、軽い一方容器体１４が上側に、貫通孔６を穿設した重い他方容器体１５が下側となり、他方容器体１５の一部又は全部が浴湯Ｗに沈下するものである。
第一容器体４と第二容器体５を同じ大きさに形成する場合において、他方容器体１５を一方容器体１４より重くするには、図１１の如く他方容器体１５の壁厚さｓを一方容器体１４より肉厚にすると、例えば、他方容器体１５の壁厚さｓを０．０１ｍｍ肉厚にしても、肉厚にした分だけ他方容器体１５を重くし得る。
また、図１２の如く他方容器体１５の内面と外面の少なくとも一方に、突起１６（突条を含む。）を設けることで、突起１６を設けた分だけ重くし得るばかりか、他方容器体１５の外面又は内面に金属片、石材片、樹脂片等の錘片（図示せず。）を着設することで、錘片を付加しただけ重くし得るし、他方容器体１５の成形時に、一方容器体１４より重い素材を用いて形成することでも重くし得る。例えば、一方容器体１４をポリスチレンで形成し、他方容器体１５をポリプロピレンで形成する。
更に、図３の如く第一容器体４と第二容器体５の構成割合に差を付けることで、即ち、他方容器体１５の容積を一方容器体１４の容積より大きく形成しても、他方容器体１５を重くし得る。
【産業上の利用可能性】
【００２７】
第一実施形態における本入浴剤２の製造手順において、
第一工程：第一容器体４と第二容器体５の分離状態において、図７（イ）の如く第一容器体４の開口部４ａを上向きにして配置し、その内部に発泡性浴用粉体２０を入れる。その際、第一容器体４の容積の二倍以上入れる。
第二工程：第一容器体４より盛り上がった発泡性浴用粉体２０に向けて、図７（イ）の如く第二容器体５の開口部５ａを下向きにして接近し、第一容器体４より露出する発泡性浴用粉体２０に被せ、
第三工程：第一容器体４に設けた第一接合部８と、第二容器体５に設けた第二接合部９が係止又は嵌合するまで、図７（ロ）の如く１〜１０Ｋｇで押圧し、発泡性浴用粉体２０を押し固めることで、組合容器３と収容室１３が形成される同時に、収容室１３内で発泡性浴用粉体２０を発泡入浴剤２に押し固めることができる。
また、第一実施形態おける製造手順の第二工程において、押し固めた発泡性浴用粉体２０の頂面が両容器体４，５の開口部４ａ，５ａより僅かに露出するようにしておき、第三工程で第一・第二容器体４，５の何れか一方の上下を反転し、両容器体４，５の開口部４ａ，５ａを向かい合わせにし、且つ押し固めた発泡性浴用粉体２０同士を対面した際、先ず発泡性浴用粉体２０同士が面接するようにし、第四工程で第一容器体４と第二容器体５を接近方向に押圧することで、面接していた発泡性浴用粉体２０が押し固め得るようにすることで、発泡入浴剤２をより強く押し固めることができる。
【００２８】
発泡入浴剤２は、組合容器３及び収容室１３と相似形を成すものが好ましく、例えば円筒状、釣鐘状、俵状、繭状、茶壺状、球状、楕円状、円盤状、動物状（ラッコ、くじら状）等を成す。
浴用成分２１の炭酸塩類として、例えば炭酸ナトリウム、炭酸水素ナトリウム、炭酸カリウム、炭酸マグネシウム、及びセスキ炭酸ナトリウム等を用い、有機酸類として、例えばコハク酸、フマル酸、リンゴ酸、クエン酸、マレイン酸、酒石酸、乳酸等を用い、補助成分２２として、保湿剤、酵素類、生薬類以外に、例えば着色剤や香料等を用いる。
組合容器３に穿設する貫通孔６は、その開口を大きくすればするほど、また貫通孔６の穿設数を多くすればするほど、貫通孔６から組合容器３内への浴湯Ｗの侵入が容易となり、発泡入浴剤２との反応が増大し、気体Ｇによる発泡Ｂが活発になるが、組合容器３を浴湯Ｗに投入した時、下側になる個所と持続性を考慮して穿設することが大切であり、その形状として、例えば円形、楕円形、四角形、三角形、ノズル形等が望ましい。
第一容器体４と第二容器体５は、発泡入浴剤２を封入したまま浴湯Ｗに投入し得る耐久力と耐熱性を備えると共に、第一・第二容器体４，５の少なくとも一方を透明又は内部の発泡入浴剤２が見える程度の半透明或いは有色透明にすることが望ましい。また、第一容器体４と第二容器体５の底部４ｃ，５ｃの少なくとも一部を図３の如く平面に形成すると、発泡性浴用粉体２０を入れて押圧する際、或いは発泡性浴用粉体２０を入れた第一・第二容器体４，５を向かい合わせにして押圧する際に、安定して押圧し得る。
また、第一容器体４の胴部４ｂと底部４ｃ、及び第二容器体５の胴部５ｂと底部５ｃの大きさ及び形状は、相違しても良い。
【００２９】
第一容器体４と第二容器体５の結合手段７は、実施形態の銛状タイプ７１と係止タイプ７２と蟻嵌合タイプ７３に限定されるものではなく、例えば、銛状タイプ７１と係止タイプ７２を合わせて用いることも可能である。また、結合手段７の第一接合部８を第一容器体４に、第二接合部９を第二容器体５に備えているが、反対に、第一接合部８を第二容器体５に、第二接合部９を第一容器体４に備えることも可能であるばかりか、銛状タイプ７１の外向楔部９１と、係止タイプ７２の外向凸部９２と、蟻嵌合タイプ７３のバチ状部９３は、開口部４ａ又は開口部５ａの全周に設けることも可能であるが、部分的に設けることも可能である。
更に、第一・第二容器体４，５の開口部４ａ，５ａが円形である場合、係止タイプ７２の外側突部８２を雌ねじとし、内側突部９２を雌ねじと螺合する雄ねじにすることも可能である。
一方容器体１４と他方容器体１５とから形成する組合容器３にあっては、第四実施形態に限定されるものではなく、四実施形態に示した例を二つ以上複合することも可能である。
発泡入浴剤２が完全に溶解すると、空になった組合容器３は残る。この空の組合容器３は、乾燥して小物入れとして再利用することもできるし、子供のおもちゃとして利用することも可能である。
第一容器体４と第二容器体５を形成する合成樹脂材として、例えば熱可逆性樹脂のポリプロピレン、ポリカボネート、テフロン（登録商標）、熱硬化性樹脂のベークライト、メラミン、エポキシ等を用いる。
【符号の説明】
【００３０】
１  容器入り浴剤（本浴剤）
２  発泡性固形入浴剤（発泡入浴剤）
２０  発泡性浴用粉体、２１  浴用成分、２２  補助成分
３  組合容器、３０  収容室
４  第一容器体、１４  一方容器体
５  第二容器体、１５  他方容器体
４ａ，５ａ  開口部、４ｂ，５ｂ  胴部、４ｃ、５ｃ  底部
１３  ヒンジ、１６  突起
６  貫通孔
７  結合手段、７１  銛状タイプ、７２  係止タイプ、７３  蟻嵌合タイプ
８  第一接合部、８１  内向楔部、８２  内向凹部、８３  アリ溝
９  第二接合部、９１  外向楔部、９２  外向凸部、９３  バチ状部
１０  包装材
ｓ  壁厚さ
Ｇ  気体（ガス）、Ｋ  気泡
Ｗ  浴湯
Ｄ  成形金型、Ｄ１  雄金型、Ｄ２  雌金型、ｄ２  キャビティ
Ｈ  貫通孔の大きさ（１〜１０平方ｍｍ）
Ｐ、ｐ１，ｐ２  押圧力（１〜１０Ｋｇ）
Ｔ１  発泡入浴剤の溶解時間、Ｔ２  気体と気泡の発生時間（５〜２０分）
【図１】
2019122444.tif 000003
【図２】
2019122444.tif 000004
【図３】
2019122444.tif 000005
【図４】
2019122444.tif 000006
【図５】
2019122444.tif 000007
【図６】
2019122444.tif 000008
【図７】
2019122444.tif 000009
【図８】
2019122444.tif 000010
【図９】
2019122444.tif 000011
【図１０】
2019122444.tif 000012
【図１１】
2019122444.tif 000013
【図１２】
2019122444.tif 000014
【図１３】
2019122444.tif 000015